(57)【特許請求の範囲】
【請求項１】
媒体類を発券する発券機の放出口に着脱可能に装着される集積箱本体と、
前記集積箱本体の内部に鉛直方向に移動可能に設けられ、前記放出口から放出される媒体類を受ける受け部と、
前記集積箱本体の内部で前記媒体類を受ける受け位置をあらかじめ設定し、前記受け部に集積される前記媒体類の数に応じて前記受け部の位置を設定範囲内に調整する受け部位置調整機構と、
を具備し、
前記受け部位置調整機構は、
前記集積箱本体の上端部に配置された少なくとも２つのプーリと、
前記２つのプーリの一方の第１のプーリに架け渡され、一端が前記受け部に連結された第１の張設部材と、
前記集積箱本体の下端部に配置され、前記受け部と前記受け部に連結された周辺部材との合計の重量と釣り合う引っ張り荷重に設定され、前記第１の張設部材の他端部に連結された、定荷重バネである第１の付勢機構と、
前記２つのプーリの他方の第２のプーリに架け渡され、一端が前記受け部に連結された第２の張設部材と、
前記第２の張設部材の他端部に連結された第１の引っ張りコイルばね及び前記第２の張設部材における前記受け部との連結端側に配置された第２の引っ張りコイルばねを有する、前記受け部上に集積される前記媒体類の集積数に合わせて前記受け部の位置を下げる状態に変形し、前記受け部の位置を調整する第２の付勢機構と、
を備え、
前記第２の付勢機構は、バネ定数が前記媒体類の一枚の重さを前記媒体類の厚さで除した値に設定され、前記第２の付勢機構の初張力が、前記放出口から前記受け部までの高さをＬ０とし、前記受け部に集積された前記媒体類の総重量と前記第２の付勢機構の初張力がつりあったときの前記受け部に集積された前記媒体類の高さをＬ１としたときに、Ｌ０＞Ｌ１となる値に設定され、前記受け部に集積された前記媒体類の総重量が前記初張力を超えると伸びる、媒体類集積箱。
【請求項２】
前記第１のプーリは、前記集積箱本体の上端部に水平方向に間隔を置いて並設された２つのプーリを有し、前記受け部の移動方向を基準とした前記第１の張設部材における前記受け部との連結端側の引っ張り方向の角度θ＝０に設定した請求項１に記載の媒体類集積箱。
【請求項３】
前記集積箱本体は、内部に張り付けた静電気対策用のフィルム部材を有する請求項１に記載の媒体類集積箱。
【請求項４】
前記受け部は、前記放出口から放出される前記媒体類が前記受け部の上に下から順番に集積し、
前記受け部位置調整機構は、前記受け部の上に下から順番に集積される前記媒体類の数に応じて前記受け部の位置を設定位置または設定範囲内に移動させる、請求項１に記載の媒体類集積箱。
【発明の詳細な説明】
【技術分野】
【０００１】
本発明の実施形態は、媒体類集積箱に関する。
【背景技術】
【０００２】
駅務機器のうち発券機能を有する自動機（以下発券機）では、投入排出口の前に実装された底の浅い受皿に媒体類を放出するようになっている。媒体類としては、ＩＣカードあるいはＰＥＴ券、エドモンソン券（以下エド券）等が考えられる。例えばＩＣカードあるいはＰＥＴ券は、ある程度の大きさと重量がある。しかし、エド券は、例えば長さ３ｃｍ、幅５．７５ｃｍの横長の大きさで、１枚の厚さがほぼ０．２ｍｍで、重さが約０．３２０〜０．３５０ｇｆ／枚程度の軽量小型の切符である。エド券のように軽量小型の切符は、風圧などにより簡単に予想外の方向に向けて飛び散る可能性があり、放出されたエド券は、落とした際に生じる相対的な風によって裏返りやすい。そのため、発券機の投入排出口から底の浅い受皿に放出されたエド券は、表裏、正逆が狂う場合がある。
【０００３】
また、複数枚の媒体類を連続的に発券する発券機は、ＩＣカードあるいはＰＥＴ券を、発券機の投入排出口の前に置いた箱状の集積箱に放出するようにしている。このような発券機では、ＩＣカードあるいはＰＥＴ券は、ある程度の大きさと重量があるため、数百枚の集積であっても放出の順番、表裏、正逆などが狂いにくい傾向にある。これに対し、エド券は、発券機の投入排出口に実装された底の浅い受皿に一枚一枚放出するか、あるいは発券機の中で一旦、十数枚重ねた上で、まとめて受皿に放出するかのどちらかが一般的である。例えば、発券機は、複数枚の媒体類を連続的に発券することがある。複数のエド券を連続的に発券する場合、発券機は、投入排出口に外付けした受皿に放出する。しかし、従来の発券機は、エド券の集積状態において、発券の順番、表裏、正逆が狂う場合が多い。
【先行技術文献】
【特許文献】
【０００４】
【特許文献１】特開２００７−２４１４２１号公報
【発明の概要】
【発明が解決しようとする課題】
【０００５】
上記のように、発券機は、発券したエド券の集積状態において、発券の順番、表裏、正逆が狂うことが多い。そのため、係員は、発券されたエド券の順番のならべ直し、表裏及び正逆の確認、および、枚数チェックなどを数回繰り返して行うことにより、発券したエド券を揃えている。しかし、このような運用は、係員の手間を必要とし、また間違いも発生する可能性があり、不能率である。
【０００６】
実施の形態が解決しようとする課題は、係員が集積された媒体類を整理する手間が省ける媒体類集積箱を提供することである。
【課題を解決するための手段】
【０００７】
実施形態の媒体類集積箱は、集積箱本体と、受け部と、受け部位置調整機構とを具備する。集積箱本体は、媒体類を発券する発券機の放出口に着脱可能に装着される。受け部は、集積箱本体の内部に鉛直方向に移動可能に設けられ、放出口から放出される媒体類を受ける。受け部位置調整機構は、集積箱本体の内部で媒体類を受ける受け位置をあらかじめ設定し、前記受け部に集積される前記媒体類の数に応じて前記受け部の位置を設定範囲内に調整する。前記受け部位置調整機構は、少なくとも２つのプーリと、第１の張設部材と、第１の付勢機構と、第２の張設部材と、第２の付勢機構と、を備える。２つのプーリは、前記集積箱本体の上端部に配置される。第１の張設部材は、前記２つのプーリの一方の第１のプーリに架け渡され、一端が前記受け部に連結される。第１の付勢機構は、前記集積箱本体の下端部に配置され、前記受け部と前記受け部に連結された周辺部材との合計の重量と釣り合う引っ張り荷重に設定され、前記第１の張設部材の他端部に連結された、定荷重バネである。第２の張設部材は、前記２つのプーリの他方の第２のプーリに架け渡され、一端が前記受け部に連結される。第２の付勢部材は、前記第２の張設部材の他端部に連結された第１の引っ張りコイルばね及び前記第２の張設部材における前記受け部との連結端側に配置された第２の引っ張りコイルばねを有する、前記受け部上に集積される前記媒体類の集積数に合わせて前記受け部の位置を下げる状態に変形し、前記受け部の位置を調整する。前記第２の付勢機構は、バネ定数が前記媒体類の一枚の重さを前記媒体類の厚さで除した値に設定され、前記第２の付勢機構の初張力が、前記放出口から前記受け部までの高さをＬ０とし、前記受け部に集積された前記媒体類の総重量と前記第２の付勢機構の初張力がつりあったときの前記受け部に集積された前記媒体類の高さをＬ１としたときに、Ｌ０＞Ｌ１となる値に設定され、前記受け部に集積された前記媒体類の総重量が前記初張力を超えると伸びる。
【図面の簡単な説明】
【０００８】
【図１】第１の実施の形態の窓口処理機の全体の概略構成を示す斜視図。
【図２】発券機の受皿を示し、（Ａ）は受皿の斜視図、（Ｂ）は平面図。
【図３】第１の実施の形態のエド券集積箱が窓口処理機の発券機に装着された状態を示す側面図。
【図４】発券機の受皿を収納する手順を示し、（Ａ）は発券機から受皿の固定を解除する操作を示す斜視図、（Ｂ）は受皿を発券機の投入排出口の下側に折り畳んだ状態を示す斜視図。
【図５】第１の実施の形態のエド券集積箱を発券機の投入排出口の前に取り付ける作業を示す斜視図。
【図６】第１の実施の形態のエド券集積箱を示し、（Ａ）はエド券集積箱の背面側の斜視図、（Ｂ）はエド券集積箱の背面図。
【図７】第１の実施の形態のエド券集積箱を示す平面図。
【図８】第１の実施の形態のエド券集積箱の内部構成を示す縦断面図。
【図９】第１の実施の形態のエド券集積箱の要部構成を示す縦断面図。
【図１０】第１の実施の形態のエド券集積箱の集積枚数Ａと第２の付勢機構の２本の引っ張りコイルばねの伸びＢとの関係を示す特性図。
【図１１】第１の実施の形態のエド券集積箱の集積枚数Ａと集積位置Ｃとの関係を示す特性図。
【図１２】第２の実施の形態のエド券集積箱の内部構成を示す縦断面図。
【発明を実施するための形態】
【０００９】
［第１の実施の形態］  
（構成）  
図１乃至図１１は、第１の実施の形態を示す。  
図１は、第１の実施の形態の媒体類集積箱が装着される窓口処理機１の全体の概略構成を示す斜視図である。  
この窓口処理機１は、媒体類としての定期券、エド券の発券および磁気式定期券の処理などを行うものである。この窓口処理機１は、係員用のテーブル２の上に配置されている制御部３、係員操作・表示部４、客用表示部５、ジャーナルプリンタ部６、テーブル２の周囲に配置された発券機（磁気発券部）７、コンセントボックス８などから構成されている。発券機７は、本実施の形態に係る媒体類集積箱としてのエド券集積箱を着脱可能である。エド券集積箱の構成例については、後述する。
【００１０】
発券機７は、定期券、エド券の発券および磁気式定期券の処理などを行う投入排出口（放出口）１０の外側に集積箱と接触する部分が磁性材でできた受皿１１を備える。  
図２（Ａ）は、受皿１１の斜視図である。図２（Ｂ）は、受皿１１の平面図である。  
この受皿１１は、図２（Ａ），（Ｂ）に示すように、上面および背面が開口されたボックス状の受皿本体１１ａを有する。この受皿本体１１ａの両側板には、背面開口部側の下端部に回動支軸１１ｂが設けられている。受皿本体１１ａの上端部には、係合爪１１ｃが設けられている。そして、定期券やエド券の多数枚の連続発券を行わない場合、図１に示すように、発券機７の受皿１１は、投入排出口１０の外側にほぼ水平方向に向けて開いた状態で使用される。このとき、係合爪１１ｃが発券機７の投入排出口１０の係合部に係脱可能に係合される。この状態で、受皿１１は、発券機７で発券し、投入排出口１０から放出された定期券およびエド券を受けるようになっている。
【００１１】
エド券の１枚毎の発券の場合、係員操作・表示部４から必要な券面情報を入力される。発券機７は、入力されたデータに基づき、ロール紙のカット、印刷、９０度反転、エンコードを行うことによりエド券を作成する。発券機７は、作成したエド券を投入排出口１０から券を放出する。これにより、受皿１１は、投入排出口１０から放出されるエド券を順次受ける。多数枚の連続発券の場合は、受皿１１に放出すると受皿１１自体の底が浅いため、順番が狂ったり、表裏反転したり、向き反対になったりしやすくなる。このため、発券機７は、受皿１１に替えて係員の後処理を効率化するための専用のエド券集積箱９を使用する。
【００１２】
図３は、第１の実施の形態のエド券集積箱９が窓口処理機の発券機に装着された状態を示す側面図である。また、図４（Ａ）は、発券機から受皿の固定を解除する操作を示す斜視図であり、図４（Ｂ）は受皿を発券機の投入排出口の下側に折り畳んだ状態を示す斜視図である。さらに、図５は、第１の実施の形態のエド券集積箱を発券機の投入排出口の前に取り付ける作業を示す斜視図である。  
図３に示すエド券集積箱９を使用する場合は、予め発券機７の受皿１１を折り畳んだ非使用位置に移動する。この受皿１１の折り畳み作業時には、受皿１１は、図４（Ａ）中に上向き矢印で示すように上向きに押し上げるように受皿１１を動かされる。これにより、受皿１１の係合爪１１ｃは、発券機７の投入排出口１０の係合部から外れ、受皿１１と発券機７本体との係合が解除される。この状態で、図４（Ａ）中に下向き矢印で示すように受皿１１を図２（Ａ），（Ｂ）に示す回動支軸１１ｂを中心に回動させて図４（Ｂ）中に矢印で示すように受皿１１を動かすことにより、受皿１１を倒す。受皿１１を倒した状態において、図５に示すように、エド券集積箱９は、外付けされる。
【００１３】
図６（Ａ）は、エド券集積箱の背面側の斜視図であり、図６（Ｂ）はエド券集積箱の背面図である。  
エド券集積箱９は、図６（Ａ），（Ｂ）に示すように鉛直方向が長い縦長の直方体形状の集積箱本体９ａを有する。この集積箱本体９ａの前面には、図５に示すように一側部に設けた複数のヒンジ１２を介して開閉可能に支持された前扉１３が設けられている。集積箱本体９ａの両側面には、取手１４が設けられている。
【００１４】
集積箱本体９ａの背面上部には、左右一対のラバーマグネット１５と、水平方向に長い矩形棒状の位置決めゴム１６とが貼り付けられている。さらに、集積箱本体９ａの背面上部には、エド券の投入排出口１０に実装された受皿１１の幅より若干広い円筒
状の２本の規制ガイド１７と、エド券投入口１８とが設けられている。エド券集積箱９を発券機７に組み付ける場合には、ラバーマグネット１５がそれと接触する部分が磁性材でできた受皿１１に吸着されるようになっている。発券機７の投入排出口１０に対するエド券集積箱９のエド券投入口１８の位置決めは、図６（Ａ），（Ｂ）に示すように上下方向には、受皿１１の下面にエド券集積箱９に貼り付けられた位置決めゴム１６を押し付ける。さらに、左右方向には、受皿１１の両脇を２本の規制ガイド１７が挟みこむようにすることで実現している。これによって発券機７の投入排出口１０とエド券集積箱９のエド券投入口１８の位置は一義的に定まる。エド券集積箱９が発券機７に組み付けられると、図３に示す状態となる。
【００１５】
図７は、エド券集積箱９の内部構造を示す平面図であり、図８は、エド券集積箱９の内部構造を示す縦断面図である。  
集積箱本体９ａ内部には、フレーム１９と、受け台（受け部）２１と、バックアップ機構（受け部位置調整機構）２２とが設けられている。受け台２１は、鉛直方向に移動可能に設けられ、発券機７の投入排出口１０から放出される媒体類の一例であるエド券２０を受ける。バックアップ機構２２は、受け台２１の高さ位置を調整する。
【００１６】
受け台２１は、図７に示すようにエド券２０よりも若干大きい大きさの平板状の受け面２１ａを有する。この受け台２１の両側にはホルダ部材２３が固定されている。これらのホルダ部材２３は、鉛直方向に延設されたガイドシャフト２４にリニアボールベアリング２５を介して鉛直方向に移動可能に支持されている。これにより、受け台２１の受け面２１ａを水平方向に向けた状態で鉛直方向に移動可能に支持する案内ガイド２６が形成されている。
【００１７】
バックアップ機構２２は、少なくとも２つのプーリ（第１のプーリ２７と、第２のプーリ２８）と、第１のワイヤロープ（第１の張設部材）２９と、第１の付勢機構３０と、第２のワイヤロープ（第２の張設部材）３１と、第２の付勢機構３２とを具備する。第１のプーリ２７と、第２のプーリ２８は、集積箱本体９ａの上端部に配置されている。第１のワイヤロープ２９は、第１のプーリ２７に架け渡され、一端が受け台２１に連結されている。第１の付勢機構３０は、集積箱本体９ａの下端部に配置され、受け台２１と受け台２１に連結された周辺部材との合計の重量と釣り合う引っ張り荷重に設定され、第１のワイヤロープ２９の他端部に連結されている。本実施の形態では、第１の付勢機構３０とワイヤロープ２９は、定荷重バネによって形成されている。第２のワイヤロープ３１は、第２のプーリ２８に架け渡され、一端が受け台２１側に連結されている。第２の付勢機構３２は、本実施の形態では、２つの引張りコイルばね（第１の引張りコイルばね３３と、第２の引張りコイルばね３４）によって形成されている。第１の引張りコイルばね３３の一端は、第２のワイヤロープ３１の他端部に連結されている。この第１の引張りコイルばね３３の他端は、集積箱本体９ａの下端部に固定されたスプリング調整用ブラケット３５に固定されている。また、第２の引張りコイルばね３４は、第２のワイヤロープ３１の一端と受け台２１との間に介設されている。
【００１８】
バックアップ機構２２は、第１の引張りコイルばね３３と、第２の引張りコイルばね３４と、第１の付勢機構３０の定荷重バネとが変形し、受け台２１の位置を調整する。第１の引張りコイルばね３３及び第２の引張りコイルばね３４は、受け台２１上に集積されるエド券２０の集積数に合わせて受け台２１の位置を下げる。このバックアップ機構２２は、特に個別の動力は持たない。
【００１９】
バックアップ機構２２による受け台２１の初期位置は、次の通り決定される。すなわち、発券機７の投入排出口１０からエド券２０を放出し、エド券集積箱９のバックアップ機構２２の受け台２１への着地時に順番の入れ替わり、表裏反転、前後正逆、券立ちなどが発生しない落下高さをあらかじめ実験で算出しておく。ここでは、この落下高さ、つまりはエド券集積箱９のエド券投入口１８からこの位置までの高さをＬ０とする。このＬ０の寸法は、媒体類の種類により異なる。
【００２０】
一方、第１の付勢機構３０の定荷重バネは、バックアップ機構２２を構成する部品（受け台２１と、ホルダ部材２３と、スラストベアリング２５）の重量と第１のプーリ２７の摺動抵抗の和に等しいように選定されている。従って、第１の付勢機構３０の定荷重バネとバックアップ機構２２、第１のプーリ２７の関係だけを見ると、バックアップ機構２２はどの位置でも停止可能である。発券機７は、投入排出口１０から放出されるエド券２０が受け台２１の上に下から順番に集積されるエド券２０の数に応じて受け台２１の位置を下げる。これにより、常時、発券機７は、投入排出口１０から放出されるエド券２０を受けるエド券２０の集積部の最上部位置を適正な受け取り位置の許容範囲内に保持する状態で調整する。
【００２１】
受け台２１の上に下から順番に集積されるエド券２０の数に応じて受け台２１のバックアップ機構２２の停止位置をＬ０とするためには、Ｌ０の位置で伸びゼロの上方に引張り力が働く第２の付勢機構３２が必要である。初期的には、バックアップ機構２２に集積されたエド券２０の総重量が第２の付勢機構３２の初張力に達するまでは第２の付勢機構３２の伸びはゼロである。初張力を超えると、徐々にバックアップ機構２２が下がり始める。このとき集積されたエド券２０の総重量と第２の付勢機構３２の初張力が釣り合った時の集積されたエド券の高さをＬ１とする。
【００２２】
エド券２０の１枚の厚さは、ほぼ０．２ｍｍなので５枚の厚さがほぼ１ｍｍ、５枚の重さが第２の付勢機構３２のほぼ合計バネ定数となるように第２の付勢機構３２の引張りコイルばね（第１の引張りコイルばね３３と、第２の引張りコイルばね３４）を選定する。従って、エド券２０の集積高さがＬ１を超えるとこれ以降に放出されるエド券２０のエド券集積箱９内における集積位置はほぼ変らないことになる。また、Ｌ０＞Ｌ１の条件により安定した集積が可能となる。この安定した集積をしようとするエド券２０の最大枚数は、エド券２０の初張力分の枚数と第２の付勢機構３２の第１の引張りコイルばね３３と、第２の引張りコイルばね３４の許容荷重時伸びに相当する枚数の和で表される。
【００２３】
バックアップ機構２２に使用する第２の付勢機構３２のコイルばねのバネ定数は理論上、  
コイルばねのバネ定数＝エド券２０の１枚の重さ／エド券２０の厚さ
＝（０．３２７〜０．３５６）／０．２＝１．６３５〜１．７８ｇｆ／ｍｍ
＝０．００１６３５〜０．００１７８ｋｇｆ／ｍｍ
となる。
【００２４】
一方、エド券２０が１，０００枚の厚さは、０．２ｍｍ×１，０００＝２００ｍｍなので初張力を無視すれば単純に最大伸びは、２００ｍｍなければならない。しかし、このようなバネは現実的に、製作が困難である。このため、本実施の形態ではコイルばねを２本直列に並べて１本当たりのバネ定数を上げて、相当するコイルばねを選定する。
【００２５】
例えば、外形８．０、線径０．５５、自由高さ５０．１、許容荷重０．４２５ｋｇｆ、許容荷重時長さ１７０．４、初張力０．０５６ｋｇｆ、バネ定数０．００３１ｋｇｆ／ｍｍ
これを２本直列に使用すると、合成バネ定数Ｋは、
Ｋ＝ｋ１×ｋ２  ／（ｋ１＋ｋ２）
＝０．００１５５ｋｇｆ／ｍｍ（１．５５ｇｆ／ｍｍ）
ｋ１＝ｋ２＝０．００３１
となる。
【００２６】
図９は、エド券集積箱９における第１のワイヤロープ２９による引張り方向の角度θを示す図である。  
第１の付勢機構３０の定荷重バネ側の第１のワイヤロープ２９の引張り荷重Ｆは  
Ｆ＝（バックアップ機構２２の重量＋ホルダ部材２３の重量＋スラストベアリング２５の重量）／ＣＯＳθ＋第１のプーリ２７の摺動抵抗
となる。ここで、θはできるだけ小さい方がいいので定荷重側のプーリは大きくとる。
【００２７】
定荷重バネの選定
定荷重バネの製造誤差は０〜＋１５％あるので、軽ければ軽いほど誤差も少なくていい。ここでは予めバックアップ系の重量を想定し以下を選定した。
【００２８】
定荷重バネ：定格＝２００ｇｆ
実験より落下高さは、６２ｍｍなのでバックアップ機構２２の受け台２１の受け面２１ａの初期位置は、６２ｍｍ以下でなければならない。しかし、第２の付勢機構３２のコイルばねは初張力を持っているので、初張力の重さ分のエド券２０が集積しなければバックアップ機構２２の受け台２１は下がらない。
【００２９】
初張力は、０．０５６ｋｇｆ（＝５６ｇｆ）なので、エド券２０の集積枚数に換算すると、
５６ｇｆ／（０．３２７〜０．３５６ｇｆ）／枚＝１５７（対最大重さ）〜１７１（対最小重さ）枚となり、厚さに換算すると
ロール券紙の厚さは、０．２００±０．０２ｍｍであるので、
初張力分のエド券２０の高さは、
１５７枚×ｍｉｎ厚さ０．１８ｍｍ／枚＝２８．２６ｍｍ  〜  １７１枚×ｍａｘ厚さ０．２２ｍｍ／枚＝３７．６２ｍｍ
となる。この値はいずれも最大落下高さ  ６２ｍｍ  より小さいので問題ない。
【００３０】
設計的には、バックアップ機構２２の受け台２１の受け面２１ａの初期位置を６２ｍｍにとる。このとき、この位置をキープするには第２の付勢機構３２のコイルばねの伸びをこの位置でゼロにしなければならない。またこれより上にバックアップ機構２２の受け台２１が行かないように目安としてストッパを設ける。
【００３１】
図１０は、第１の実施の形態に係るエド券集積箱９における集積枚数Ａと第２の付勢機構の２本の引っ張りコイルばねの伸びＢとの関係を示す特性図である。図１０に示すように、エド券集積箱９は、エド券２０の集積枚数Ａの増加に対して第２の付勢機構３２のコイルばねの伸びＢが一次関数的に大きくなる。プーリの２７、２８の摺動抵抗がある場合は、多少階段状に小さくなる。  
また、図１１は、第１の実施の形態に係るエド券集積箱９における集積枚数Ａと集積位置Ｃとの関係を示す特性図である。図１１に示すように、エド券集積箱９は、エド券２０の集積枚数Ａの増加に対して集積位置Ｃが変化する。たとえば、エド券２０の集積枚数Ａと集積位置Ｃとの関係は、集積枚数が所定枚数に達するまで、集積枚数Ａの増加に対して集積位置Ｃが一次関数的に単調に大きくなる。また、集積枚数Ａが所定枚数に達した後は、集積枚数の増加に対して集積位置Ｃが一次関数的に単調に小さくなる。  
この場合もプーリの２７、２８の摺動抵抗がある場合は多少階段状に小さくなる。
【００３２】
（作用・効果）  
上記構成の第１の実施の形態に係るエド券集積箱９では、受け台２１でエド券２０を受ける際に、バックアップ機構２２によって発券機７の投入排出口１０から放出されるエド券２０が受け台２１の上に下から順番に集積されるエド券２０の数に応じて受け台２１の位置を下げる。これにより、発券機７の投入排出口１０から放出されるエド券２０が表裏反転したり、前後正逆の誤りなく正しい姿勢で受け取り可能な高さ位置である適正な受け取り位置の許容範囲でエド券２０の受け取り位置を保持する。そのため、常時、発券機７の投入排出口１０から放出されるエド券２０を受けるエド券２０の集積部の最上部位置を適正な受け取り位置の許容範囲内に保持する状態で調整することができる。
【００３３】
上記のように構成することによって、外部動力を必要とせずエド券２０の多数枚集積が可能となり、且つ順番、表裏、前後正逆が狂うことが避けられる。従って従来のように係員が集積されたエド券２０を整理する手間が省け、揃え間違いも防止できるという効果がある。したがって、外部の動力を得ることなく、放出されたエド券２０の集積の順番、表裏、前後正逆の誤りなく所定枚数集積できるエド券集積箱９を提供することができる。
【００３４】
［第２の実施の形態］  
（構成）  
図１２は、第２の実施の形態を示す。  
図１２に示す第２の実施形態に係るエド券集積箱９´は、第１の実施形態（図１乃至図１１参照）に係るエド券集積箱９の構成を次の通り変更した変形例である。なお、図１２中で、図１乃至図１１と同一部分には同一の符号を付してその詳細な説明を省略する。
【００３５】
図１２に示す第２実施形態に係るエド券集積箱９´は、バックアップ機構２２の第１のプーリ２７は、集積箱本体９ａの上端部に水平方向に間隔を置いて並設された２つのプーリ（第１のプーリ２７ａと、第２のプーリ２７ｂ）を有する。エド券集積箱９´は、受け台２１側に配置される第２のプーリ２７ｂの位置を受け台２１に近接させる。これにより、エド券集積箱９´は、第１のワイヤロープ２９における受け台２１との連結端側の引っ張り方向の角度θ＝０に設定する。
【００３６】
（作用・効果）  
第２の実施形態では第１実施形態の効果に加え、第１のワイヤロープ２９における受け台２１との連結端側の引っ張り方向の角度θ＝０に設定することができる。
【００３７】
なお、上述した第１及び第２の実施形態では、媒体類としてエド券２０を例にとって説明したが、Ｌ０＞Ｌ１が成立する構成であれば特にエド券に限定しない。さらに、第１及び第２の実施形態では初張力を有する引張りコイルばねを使用したが、初張力ゼロのピッチ巻きの引張りコイルばねであっても同様の効果を得られる。また、第１及び第２の実施形態では２つの引張りコイルばね（第１の引張りコイルばね３３と、第２の引張りコイルばね３４）を第２のプーリ２８の前後に１本づつ使用しているが、１本あるいは複数本の使用で第２のプーリ２８の前後にいかように配置しても構わない。
【００３８】
これらの実施形態によれば、外部動力を必要とせず、媒体類を多数枚集積が可能となり、且つ順番、表裏、前後正逆が狂うことを防止して、係員が集積された媒体類を整理する手間が省け、揃え間違いも防止できる媒体類集積箱を提供することができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明と同等の記載を付記する。
［１］  媒体類を発券する発券機の放出口に着脱可能に装着される集積箱本体と、
前記集積箱本体の内部に鉛直方向に移動可能に設けられ、前記放出口から放出される媒体類を受ける受け部と、
前記集積箱本体の内部で前記媒体類を受ける受け位置をあらかじめ設定し、前記受け部に集積される前記媒体類の数に応じて前記受け部の位置を設定範囲内に調整する受け部位置調整機構と、
を具備する媒体類集積箱。
［２］  前記受け部位置調整機構は、前記集積箱本体の上端部に配置された少なくとも２つのプーリと、
前記２つのプーリの一方の第１のプーリに架け渡され、一端が前記受け部に連結された第１の張設部材と、
前記集積箱本体の下端部に配置され、前記受け部と前記受け部に連結された周辺部材との合計の重量と釣り合う引っ張り荷重に設定され、前記第１の張設部材の他端部に連結された第１の付勢機構と、
前記２つのプーリの他方の第２のプーリに架け渡され、一端が前記受け部に連結された第２の張設部材と、
前記第２の張設部材の他端部に連結された付勢部材を有し、前記受け部上に集積される前記媒体類の集積数に合わせて前記受け部の位置を下げる状態に変形し、前記受け部の位置を調整する第２の付勢機構と
を具備する［１］に記載の媒体類集積箱。
［３］  前記第１のプーリは、前記集積箱本体の上端部に水平方向に間隔を置いて並設された２つのプーリを有し、前記第１の張設部材における前記受け部との連結端側の引っ張り方向の角度θ＝０に設定した［２］に記載の媒体類集積箱。
［４］  前記第１の付勢機構は、定荷重バネである［２］に記載の媒体類集積箱。
［５］  前記第２の付勢機構は、前記第２の張設部材の他端部に連結された第１の引っ張りコイルばねと、前記第２の張設部材における前記受け部との連結端側に配置された第２の引っ張りコイルばねとを有する［２］に記載の媒体類集積箱。
［６］  前記集積箱本体は、内部に張り付けた静電気対策用のフィルム部材を有する［１］に記載の媒体類集積箱。
［７］  前記受け部は、前記放出口から放出される前記媒体類が前記受け部の上に下から順番に集積し、
前記受け部位置調整機構は、前記受け部の上に下から順番に集積される前記媒体類の数に応じて前記受け部の位置を設定位置または設定範囲内に移動させる、［１］に記載の媒体類集積箱。
【符号の説明】
【００４０】
７…発券機、９、９´…エド券集積箱、９ａ…集積箱本体、１０…投入排出口（放出口）、１１…受皿、１１ａ…受皿本体、１８…エド券投入口、２０…エド券（媒体類）、２１…受け台（受け部）、２１ａ…受け面、２２…バックアップ機構（受け部位置調整機構）、２７…第１のプーリ、２８…第２のプーリ、２９…第１のワイヤロープ（第１の張設部材）、３０…第１の付勢機構、３１…第２のワイヤロープ（第２の張設部材）、３２…第２の付勢機構、３３…第１の引張りコイルばね、３４…第２の引張りコイルばね。
【図１】
0006422784.tif 000002
【図２】
0006422784.tif 000003
【図３】
0006422784.tif 000004
【図４】
0006422784.tif 000005
【図５】
0006422784.tif 000006
【図６】
0006422784.tif 000007
【図７】
0006422784.tif 000008
【図８】
0006422784.tif 000009
【図９】
0006422784.tif 000010
【図１０】
0006422784.tif 000011
【図１１】
0006422784.tif 000012
【図１２】
0006422784.tif 000013